(57)【要約】      （修正有）【課題】光学系の全長が短く小型でありながら、色収差が良好に補正された変倍光学系及びそれを備えた撮像装置を提供する。【解決手段】物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、を有し、変倍時、第２レンズ群と第４レンズ群は、光軸方向に移動し、以下の条件式を満足する。−０．０５＜Δ1G／Δ2G＜０．０５（１）、０．０２０＜ｄ4Gw／ｄw＜０．１３（２）、ここで、Δ1Gは、第１レンズ群の広角端から望遠端までの移動量、Δ2Gは、第２レンズ群の広角端から望遠端までの移動量、ｄ4Gwは、広角端での第４レンズ群の最も像側面から像面までの距離、ｄwは、広角端での第１レンズ群の最も物体側面から像面までの距離。【選択図】図１
2019132888.tif 000002
【特許請求の範囲】
【請求項１】
物体側から順に、
正の屈折力を有する第１レンズ群と、
負の屈折力を有する第２レンズ群と、
正の屈折力を有する第３レンズ群と、
負の屈折力を有する第４レンズ群と、を有し、
変倍時、前記第２レンズ群と前記第４レンズ群は、光軸方向に移動し、
以下の条件式（１）、（２）を満足することを特徴とする変倍光学系。
−０．０５＜Δ1G／Δ2G＜０．０５      （１）
０．０２０＜ｄ4Gw／ｄw＜０．１３      （２）
ここで、
Δ1Gは、前記第１レンズ群の広角端から望遠端までの移動量、
Δ2Gは、前記第２レンズ群の広角端から望遠端までの移動量、
ｄ4Gwは、広角端での前記第４レンズ群の最も像側面から像面までの距離、
ｄwは、広角端での前記第１レンズ群の最も物体側面から像面までの距離、
である。
【請求項２】
以下の条件式（３）を満足することを特徴とする請求項１に記載の変倍光学系。
２．００＜｜ｆ4G／ｆw｜＜１０．０      （３）
ここで、
ｆ4Gは、前記第４レンズ群の焦点距離、
ｆwは、広角端における前記変倍光学系の焦点距離、
である。
【請求項３】
以下の条件式（４）を満足することを特徴とする請求項１に記載の変倍光学系。
０．０５０＜｜ｆ4G／ｆt｜＜０．３００      （４）
ここで、
ｆ4Gは、前記第４レンズ群の焦点距離、
ｆtは、望遠端における前記変倍光学系の焦点距離、
である。
【請求項４】
以下の条件式（５）を満足することを特徴とする請求項１に記載の変倍光学系。
０．２００＜ｆ1G／ｆt＜０．４５０      （５）
ここで、
ｆ1Gは、前記第１レンズ群の焦点距離、
ｆtは、望遠端における前記変倍光学系の焦点距離、
である。
【請求項５】
以下の条件式（６）を満足することを特徴とする請求項１に記載の変倍光学系。
１０＜β2Gt／β2Gw＜４０      （６）
ここで、
β2Gtは、望遠端における前記第２レンズ群の横倍率、
β2Gwは、広角端における前記第２レンズ群の横倍率、
前記倍率は、無限遠物点合焦時の倍率、
である。
【請求項６】
以下の条件式（７）を満足することを特徴とする請求項１に記載の変倍光学系。
１．００＜β4Gt／β4Gw＜２．００      （７）
ここで、
β4Gtは、望遠端における前記第４レンズ群の倍率、
β4Gwは、広角端における前記第４レンズ群の倍率、
前記倍率は、無限遠物点合焦時の倍率、
である。
【請求項７】
前記第１レンズ群は、以下の条件式（８）、（９）を満足する負レンズを、少なくとも１枚有することを特徴とする請求項１に記載の変倍光学系。
２４＜νｄ1Gn＜５６      （８）
０．５３＜θg,F1Gn＜０．６２      （９）
ここで、
νｄ1Gnは、前記第１レンズ群中に含まれる負レンズのアッベ数のうち、最大となるアッベ数、
θg,F1Gnは、前記第１レンズ群中に含まれる負レンズの部分分散比のうち、最小となる部分分散比、
前記部分分散比は、θg,F1Gn＝（ｎｇ1Gn−ｎＦ1Gn）／（ｎＦ1Gn−ｎＣ1Gn）で表され、
ｎｇ1Gn、ｎＦ1Gn、ｎＣ1Gnは、それぞれ、ｇ線における屈折率、Ｆ線における屈折率、Ｃ線における屈折率、
である。
【請求項８】
無限遠物点から至近物点への合焦時、前記第４レンズ群のみが像側に移動することを特徴とする請求項１に記載の変倍光学系。
【請求項９】
軸上光束を制限する開口絞りを有し、
前記開口絞りは、前記第２レンズ群と前記第３レンズ群の像側面との間に位置することを特徴とする請求項１に記載の変倍光学系。
【請求項１０】
前記第４レンズ群の像側に、正の屈折力を有する第５レンズ群が配置され、
以下の条件式（１０）、（１１）を満足することを特徴とする請求項１に記載の変倍光学系。
０．３０＜｜ｆ3G／ｆ4G｜＜２．００      （１０）
０．５０＜｜ｆ5G／ｆ4G｜＜２５      （１１）
ここで、
ｆ3Gは、前記第３レンズ群の焦点距離、
ｆ4Gは、前記第４レンズ群の焦点距離、
ｆ5Gは、前記第５レンズ群の焦点距離、
である。
【請求項１１】
変倍時、前記第１レンズ群は固定されていることを特徴とする請求項１に記載の変倍光学系。
【請求項１２】
以下の条件式（１２）を満足することを特徴とする請求項１に記載の変倍光学系。
１９＜ｆt／ｆw＜５０      （１２）
ここで、
ｆtは、望遠端における前記変倍光学系の焦点距離、
ｆwは、広角端における前記変倍光学系の焦点距離、
である。
【請求項１３】
光学系と、
撮像面を持ち、且つ前記光学系により撮像面上に形成された像を電気信号に変換する撮像素子と、を有し、
前記光学系が請求項１に記載の変倍光学系であることを特徴とする撮像装置。
【発明の詳細な説明】
【技術分野】
【０００１】
本発明は、変倍光学系及びそれを備えた撮像装置に関する。
【背景技術】
【０００２】
高い変倍比を有する変倍光学系が、特許文献１、特許文献２及び特許文献３に開示されている。
【０００３】
特許文献１に開示されている変倍光学系は、正の屈折力を有する第１レンズ群と、負の屈折力を有する第２レンズ群と、正の屈折力を有する第３レンズ群と、負の屈折力を有する第４レンズ群と、正の屈折力を有する第５レンズ群と、で構成されている。変倍時、第２レンズ群、第３レンズ群及び第４レンズ群が移動する。
【０００４】
特許文献２に開示されている変倍光学系と特許文献３に開示されている変倍光学系は、正の屈折力を有する第１レンズ群と、負の屈折力を有する第２レンズ群と、正の屈折力を有する第３レンズ群と、負の屈折力を有する第４レンズ群と、正の屈折力を有する第５ンズ群Ｇと、で構成されている。変倍時、第２レンズ群と第４レンズ群とが光軸に沿って移動する。
【先行技術文献】
【特許文献】
【０００５】
【特許文献１】特許第５９０７６１６号公報（第１実施例）
【特許文献２】特開２０１７−１１６６７８号公報（第４実施例）
【特許文献３】特許第５３０３３１０号公報（第１実施例）
【発明の概要】
【発明が解決しようとする課題】
【０００６】
特許文献１に開示されている変倍光学系、特許文献２に開示されている変倍光学系、及び特許文献３に開示されている変倍光学系では、第４レンズ群が像面から離れた位置に配置されている。この場合、第４レンズ群に十分な大きさの屈折力を持たせることができない。そのため、色収差を十分に補正することが困難になる。
【０００７】
本発明は、このような課題に鑑みてなされたものであって、光学系の全長が短く小型でありながら、色収差が良好に補正された変倍光学系及びそれを備えた撮像装置を提供することを目的とする。
【課題を解決するための手段】
【０００８】
上述した課題を解決し、目的を達成するために、本発明の少なくとも幾つかの実施形態に係る変倍光学系は、
物体側から順に、
正の屈折力を有する第１レンズ群と、
負の屈折力を有する第２レンズ群と、
正の屈折力を有する第３レンズ群と、
負の屈折力を有する第４レンズ群と、を有し、
変倍時、第２レンズ群と第４レンズ群は、光軸方向に移動し、
以下の条件式（１）、（２）を満足することを特徴とする。
−０．０５＜Δ1G／Δ2G＜０．０５      （１）
０．０２０＜ｄ4Gw／ｄw＜０．１３      （２）
ここで、
Δ1Gは、第１レンズ群の広角端から望遠端までの移動量、
Δ2Gは、第２レンズ群の広角端から望遠端までの移動量、
ｄ4Gwは、広角端での第４レンズ群の最も像側面から像面までの距離、
ｄwは、広角端での第１レンズ群の最も物体側面から像面までの距離、
である。
【０００９】
また、本発明の少なくとも幾つかの実施形態に係る撮像装置は、
光学系と、
撮像面を持ち、且つ光学系により撮像面上に形成された像を電気信号に変換する撮像素子と、を有し、
光学系が上述の変倍光学系であることを特徴とする。
【発明の効果】
【００１０】
本発明によれば、光学系の全長が短く小型でありながら、色収差が良好に補正された変倍光学系及びそれを備えた撮像装置を提供することができる。
【図面の簡単な説明】
【００１１】
【図１】実施例１の変倍光学系のレンズ断面図である。
【図２】実施例２の変倍光学系のレンズ断面図である。
【図３】実施例３の変倍光学系のレンズ断面図である。
【図４】実施例４の変倍光学系のレンズ断面図である。
【図５】実施例５の変倍光学系のレンズ断面図である。
【図６】実施例６の変倍光学系のレンズ断面図である。
【図７】実施例７の変倍光学系のレンズ断面図である。
【図８】実施例８の変倍光学系のレンズ断面図である。
【図９】実施例９の変倍光学系のレンズ断面図である。
【図１０】実施例１０の変倍光学系のレンズ断面図である。
【図１１】実施例１１の変倍光学系のレンズ断面図である。
【図１２】実施例１の変倍光学系の収差図である。
【図１３】実施例２の変倍光学系の収差図である。
【図１４】実施例３の変倍光学系の収差図である。
【図１５】実施例４の変倍光学系の収差図である。
【図１６】実施例５の変倍光学系の収差図である。
【図１７】実施例６の変倍光学系の収差図である。
【図１８】実施例７の変倍光学系の収差図である。
【図１９】実施例８の変倍光学系の収差図である。
【図２０】実施例９の変倍光学系の収差図である。
【図２１】実施例１０の変倍光学系の収差図である。
【図２２】実施例１１の変倍光学系の収差図である。
【図２３】撮像装置の断面図である。
【図２４】撮像装置の前方斜視図である。
【図２５】撮像装置の後方斜視図である。
【図２６】撮像装置の主要部の内部回路の構成ブロック図である。
【発明を実施するための形態】
【００１２】
実施例の説明に先立ち、本発明のある態様にかかる実施形態の作用効果を説明する。なお、本実施形態の作用効果を具体的に説明するに際しては、具体的な例を示して説明することになる。しかし、後述する実施例の場合と同様に、それらの例示される態様はあくまでも本発明に含まれる態様のうちの一部に過ぎず、その態様には数多くのバリエーションが存在する。したがって、本発明は例示される態様に限定されるものではない。
【００１３】
本実施形態の変倍光学系は、物体側から順に、正の屈折力を有する第１レンズ群と、負の屈折力を有する第２レンズ群と、正の屈折力を有する第３レンズ群と、負の屈折力を有する第４レンズ群と、を有し、変倍時、第２レンズ群と第４レンズ群は、光軸方向に移動し、以下の条件式（１）、（２）を満足することを特徴とする。
−０．０５＜Δ1G／Δ2G＜０．０５      （１）
０．０２０＜ｄ4Gw／ｄw＜０．１３      （２）
ここで、
Δ1Gは、第１レンズ群の広角端から望遠端までの移動量、
Δ2Gは、第２レンズ群の広角端から望遠端までの移動量、
ｄ4Gwは、広角端での第４レンズ群の最も像側面から像面までの距離、
ｄwは、広角端での第１レンズ群の最も物体側面から像面までの距離、
である。
【００１４】
本実施形態の変倍光学系は、物体側から順に、正の屈折力を有する第１レンズ群と、負の屈折力を有する第２レンズ群と、正の屈折力を有する第３レンズ群と、を有する。本実施形態の変倍光学系では、正の屈折力を有するレンズ群が、最も物体側に位置している。よって、本実施形態の変倍光学系は、正先行タイプの光学系になっている。
【００１５】
正先行タイプの光学系は、高い変倍比の確保と、広角端から望遠端までの間での明るいＦナンバーの確保に有利な光学系である。よって、本実施形態の変倍光学系でも、高い変倍比が確保できると共に、広角端から望遠端までの間で明るいＦナンバーが確保できる。
【００１６】
負の屈折力を有する第２レンズ群と正の屈折力を有する第３レンズ群を配置することで、第３レンズ群よりも像側における軸上光束の径を小さくできる。そのため、第３レンズ群よりも像側に位置するレンズ群を小型化できる。
【００１７】
変倍時、第２レンズ群と第４レンズ群とが移動する。本実施形態の変倍光学系では、主に第２レンズ群で変倍し、変倍による像面変動を第４レンズ群で補正している。
【００１８】
上述のように、第３レンズ群よりも像側では、軸上光束の径が小さい。そのため、第４レンズ群を移動させても、球面収差の変動や軸上色収差の変動を抑制できる。
【００１９】
条件式（１）は、第１レンズ群の変倍時の移動量と第２レンズ群の変倍時の移動量との比に関する条件式である。移動量は、広角端から望遠端までの移動量である。レンズ群が像側へ移動した場合、移動量は正の値になる。
【００２０】
条件式（１）を満足することで、第２レンズ群に対する第１レンズ群の移動を抑制できる。第２レンズ群の移動量に対する第１レンズ群の移動量を小さくすることで、製造誤差が軽減でき、また、移動構成を簡略にできる。
【００２１】
値が条件式（１）の下限値を上回る場合、第１レンズ群の移動、例えば、物体側への移動を抑制できる。そのため、光学系の全長を短縮できる。値が条件式（１）の上限値を下回る場合、第１レンズ群の移動、例えば、像側への移動を抑制できる。そのため、第２レンズ群において十分な変倍比を確保できる。
【００２２】
値が条件式（２）の下限値を上回る場合、第４レンズ群が像面から遠ざかる。そのため、第４レンズ群で軸外収差を補正できる。
【００２３】
値が条件式（２）の上限値を下回る場合、第４レンズ群が像面に近づく。この場合、第４レンズ群を通る軸上光線の高さが低くなる。そのため、球面収差の発生を抑制しながら、第４レンズ群の屈折力を大きくできる。その結果、球面収差の発生を抑制しつつ、色収差を良好に補正できる。
【００２４】
本実施形態の変倍光学系では、第１レンズ群は正の屈折力を有し、第２レンズ群は負の屈折力を有する。また、第３レンズ群は正の屈折力を有し、第４レンズ群は負の屈折力を有する。そのため、第１レンズ群と第２レンズ群とでテレフォト光学系が形成され、更に、第３レンズ群と第４レンズ群とでテレフォト光学系が形成されている。
【００２５】
テレフォト光学系の特徴の一つは、光学系の全長を短縮できることである。第４レンズ群の屈折力を大きくできると、光学系の全長を短縮する効果を更に強められる。そのため、値が条件式（２）の上限値を下回る場合、光学系の全長を更に短縮できる。
【００２６】
本実施形態の変倍光学系は、以下の条件式（３）を満足することが好ましい。
２．００＜｜ｆ4G／ｆw｜＜１０．０      （３）
ここで、
ｆ4Gは、第４レンズ群の焦点距離、
ｆwは、広角端における変倍光学系の焦点距離、
である。
【００２７】
条件式（３）は、第４レンズ群の焦点距離と広角端における変倍光学系の焦点距離との比に関する条件式である。
【００２８】
広角端では、第３レンズ群で球面収差が発生し易く、第４レンズ群で非点収差が発生し易い。よって、広角端では、これらの収差の発生が抑制されているか、又は、これらの収差が補正されていることが好ましい。
【００２９】
値が条件式（３）の下限値を上回る場合、広角端における変倍光学系の焦点距離に対して、第４レンズ群の焦点距離が長くなる。この場合、第４レンズ群の屈折力を小さくできるので、第４レンズ群での非点収差の発生を抑制できる。
【００３０】
値が条件式（３）の上限値を下回る場合、広角端における変倍光学系の焦点距離に対して、第４レンズ群の焦点距離が短くなる。この場合、第４レンズ群の屈折力を大きくできるので、第３レンズ群で発生した球面収差を補正できる。
【００３１】
本実施形態の変倍光学系は、以下の条件式（４）を満足することが好ましい。
０．０５０＜｜ｆ4G／ｆt｜＜０．３００      （４）
ここで、
ｆ4Gは、第４レンズ群の焦点距離、
ｆtは、望遠端における変倍光学系の焦点距離、
である。
【００３２】
条件式（４）は、第４レンズ群の焦点距離と望遠端における変倍光学系の焦点距離との比に関する条件式である。
【００３３】
望遠端でも、第３レンズ群で球面収差が発生し易く、第４レンズ群で非点収差が発生し易い。よって、望遠端でも、これらの収差の発生が抑制されているか、又は、これらの収差が補正されていることが好ましい。
【００３４】
値が条件式（４）の下限値を上回る場合、望遠端における変倍光学系の焦点距離に対して、第４レンズ群の焦点距離が長くなる。この場合、第４レンズ群の屈折力を小さくできるので、第４レンズ群での非点収差の発生を抑制できる。
【００３５】
値が条件式（４）の上限値を下回る場合、望遠端における変倍光学系の焦点距離に対して、第４レンズ群の焦点距離が短くなる。この場合、第４レンズ群の屈折力を大きくできるので、第３レンズ群で発生した球面収差を補正できる。
【００３６】
上述のように、第４レンズ群の屈折力を大きくできると、光学系の全長を短縮する効果を更に強められる。そのため、値が条件式（４）の上限値を下回る場合、望遠端における光学系の全長を更に短縮できる。
【００３７】
本実施形態の変倍光学系は、以下の条件式（５）を満足することが好ましい。
０．２００＜ｆ1G／ｆt＜０．４５０      （５）
ここで、
ｆ1Gは、第１レンズ群の焦点距離、
ｆtは、望遠端における変倍光学系の焦点距離、
である。
【００３８】
条件式（５）は、第１レンズ群の焦点距離と望遠端における変倍光学系の焦点距離との比に関する条件式である。
【００３９】
望遠端では、第１レンズ群で球面収差、非点収差、軸上色収差、及び倍率色収差が発生し易い。よって、望遠端では、これらの収差の発生が抑制されることが好ましい。
【００４０】
値が条件式（５）の下限値を上回る場合、望遠端における変倍光学系の焦点距離に対して、第１レンズ群の焦点距離が長くなる。この場合、第１レンズ群の屈折力を小さくできるので、第１レンズ群での球面収差の発生、非点収差の発生、軸上色収差の発生、及び倍率色収差の発生を抑制できる。
【００４１】
値が条件式（５）の上限値を下回る場合、望遠端における変倍光学系の焦点距離に対して、第１レンズ群の焦点距離が短くなる。この場合、第１レンズ群の屈折力を大きくできるので、第２レンズ群における変倍効果を大きくできる。そのため、望遠端における光学系の全長を更に短縮できる。
【００４２】
本実施形態の変倍光学系は、以下の条件式（６）を満足することが好ましい。
１０＜β2Gt／β2Gw＜４０      （６）
ここで、
β2Gtは、望遠端における第２レンズ群の横倍率、
β2Gwは、広角端における第２レンズ群の横倍率、
倍率は、無限遠物点合焦時の倍率、
である。
【００４３】
条件式（６）は、第２レンズ群の変倍比に関する条件式である。
【００４４】
値が条件式（６）の下限値を上回る場合、第２レンズ群における変倍作用を大きくできる。この場合、第２レンズ群以外のレンズ群での変倍負担を減らせるので、第２レンズ群以外のレンズ群の移動量を抑制できる。レンズ群の移動量が抑制されると、第２レンズ群よりも像側において、レンズ群が移動するスペースを少なくできる。そのため、光学系の全長を短縮できる。
【００４５】
広角側では、第２レンズ群が移動することで、歪曲収差の変動、非点収差の変動、及び倍率色収差の変動が大きくなり易い。よって、広角側では、これらの収差の変動が抑制されることが好ましい。
【００４６】
値が条件式（６）の上限値を下回る場合、第２レンズ群における変倍作用を小さくできる。この場合、第２レンズ群の移動量を抑制できる。そのため、変倍時の諸収差の変動、特に、歪曲収差の変動、非点収差の変動、及び倍率色収差の変動を抑制しつつ、良好な結像性能を保てる。
【００４７】
本実施形態の変倍光学系は、以下の条件式（７）を満足することが好ましい。
１．００＜β4Gt／β4Gw＜２．００      （７）
ここで、
β4Gtは、望遠端における第４レンズ群の倍率、
β4Gwは、広角端における第４レンズ群の倍率、
倍率は、無限遠物点合焦時の倍率、
である。
【００４８】
条件式（７）は、第４レンズ群の変倍比に関する条件式である。
【００４９】
値が条件式（７）の下限値を上回る場合、第４レンズ群における変倍作用を大きくできる。この場合、第４レンズ群以外のレンズ群での変倍負担を減らせるので、第４レンズ群以外のレンズ群の移動量を抑制できる。レンズ群の移動量が抑制されると、レンズ群が移動するスペースを少なくできる。そのため、光学系の全長を短縮できる。
【００５０】
値が条件式（７）の上限値を下回る場合、第４レンズ群における変倍作用を小さくできる。この場合、第４レンズ群の移動量を抑制できる。そのため、変倍時に、非点収差の変動を抑制できる。
【００５１】
本実施形態の変倍光学系では、第１レンズ群は、以下の条件式（８）、（９）を満足する負レンズを、少なくとも１枚有することが好ましい。
２４＜νｄ1Gn＜５６      （８）
０．５３＜θg,F1Gn＜０．６２      （９）
ここで、
νｄ1Gnは、第１レンズ群中に含まれる負レンズのアッベ数のうち、最大となるアッベ数、
θg,F1Gnは、第１レンズ群中に含まれる負レンズの部分分散比のうち、最小となる部分分散比、
部分分散比は、θg,F1Gn＝（ｎｇ1Gn−ｎＦ1Gn）／（ｎＦ1Gn−ｎＣ1Gn）で表され、
ｎｇ1Gn、ｎＦ1Gn、ｎＣ1Gnは、それぞれ、ｇ線における屈折率、Ｆ線における屈折率、Ｃ線における屈折率、
である。
【００５２】
条件式（８）は、第１レンズ群の負レンズのアッベ数に関する条件式である。
【００５３】
第１レンズ群では、全体として正の屈折力を確保しつつ、負の屈折力も適切に確保されていることが好ましい。
【００５４】
値が条件式（８）の下限値を上回る場合、第１レンズ群での色収差の発生を抑制しつつ、適切に負の屈折力を確保できる。その結果、望遠側での非点収差の発生を抑制できる。
【００５５】
値が条件式（８）の上限値を下回る場合、第１レンズ群での色収差の発生を抑制できる。その結果、良好な結像性能を保てる。
【００５６】
条件式（９）は、第１レンズ群の負レンズの部分分散に関する条件式である。
【００５７】
値が条件式（９）の下限値を上回る場合、色収差の補正に有効な硝材が増える。選択可能な硝材が増えるので、色収差を良好に補正できる。
【００５８】
望遠端では、第１レンズ群で、Ｆ線に対するｇ線の色収差が発生し易い。よって、この色収差の発生が抑制されることが好ましい。
【００５９】
値が条件式（９）の上限値を下回る場合、第１レンズ群でのＦ線に対するｇ線の色収差の発生を抑えられる。その結果、良好な結像性能を保てる。
【００６０】
本実施形態の変倍光学系では、無限遠物点から至近物点への合焦時、第４レンズ群のみが像側に移動することが好ましい。
【００６１】
第４レンズ群のみを移動させることで、合焦機構を簡略にすることができる。また、像面の近くでは、光束径が小さい。第４レンズ群は像面の近くに位置しているので、第４レンズ群を小型で軽量にできる。第４レンズ群を合焦レンズ群とすることで、径が小さくて軽い合焦レンズ群を実現できる。その結果、速い合焦スピードを確保できる。
【００６２】
本実施形態の変倍光学系は、軸上光束を制限する開口絞りを有し、開口絞りは、第２レンズ群と第３レンズ群の像側面との間に位置することが好ましい。
【００６３】
開口絞りを第２レンズ群と第３レンズ群との間に配置するか、又は、第３レンズ群内に配置することで、第３レンズ群よりも像側における軸上光束径を抑えることができる。
【００６４】
上述のように、変倍時、第４レンズ群は光軸方向に移動する。第４レンズ群は、第３レンズ群よりも像側に位置しているので、第４レンズ群は、軸上光束径が小さい場所で移動する。そのため、変倍時の球面収差の変動や軸上色収差の変動を抑制しながら、像面変動を補正できる。
【００６５】
本実施形態の変倍光学系では、第４レンズ群の像側に、正の屈折力を有する第５レンズ群が配置され、以下の条件式（１０）、（１１）を満足することが好ましい。
０．３０＜｜ｆ3G／ｆ4G｜＜２．００      （１０）
０．５０＜｜ｆ5G／ｆ4G｜＜２５      （１１）
ここで、
ｆ3Gは、第３レンズ群の焦点距離、
ｆ4Gは、第４レンズ群の焦点距離、
ｆ5Gは、第５レンズ群の焦点距離、
である。
【００６６】
広角端では、第３レンズ群で球面収差が発生し易く、第４レンズ群で非点収差が発生し易い。よって、広角端では、これらの収差の発生が抑制されていることが好ましい。
【００６７】
値が条件式（１０）の下限値を上回る場合、第３レンズ群の焦点距離が長くなる。この場合、第３レンズ群の屈折力が小さくなるので、第３レンズ群での球面収差の発生を抑制できる。
【００６８】
値が条件式（１０）の上限値を下回る場合、第４レンズ群の焦点距離が長くなる。この場合、第４レンズ群の屈折力を小さくできるので、第４レンズ群での非点収差の発生を抑制できる。
【００６９】
広角端では、第４レンズ群で非点収差が発生し易く、第５レンズ群で歪曲収差が発生し易い。よって、広角端では、これらの収差の発生が抑制されていることが好ましい。
【００７０】
値が条件式（１１）の下限値を上回る場合、第５レンズ群の焦点距離が長くなる。この場合、第５レンズ群の屈折力が小さくなるので、第５レンズ群での歪曲収差の発生を抑制できる。
【００７１】
値が条件式（１１）の上限値を下回る場合、第４レンズ群の焦点距離が長くなる。この場合、第４レンズ群の屈折力を小さくできるので、第４レンズ群での非点収差の発生を抑制できる。
【００７２】
本実施形態の変倍光学系では、変倍時、第１レンズ群は固定されていることが好ましい。
【００７３】
このようにすることで、第１レンズ群が像面に対して常時固定される。その結果、製造誤差を更に軽減でき、また、メカ構成を更に簡略にすることができる。
【００７４】
本実施形態の変倍光学系は、以下の条件式（１２）を満足することが好ましい。
１９＜ｆt／ｆw＜５０      （１２）
ここで、
ｆtは、望遠端における変倍光学系の焦点距離、
ｆwは、広角端における変倍光学系の焦点距離、
である。
【００７５】
値が条件式（１２）の下限値を上回る場合、高い変倍を確保できる。値が条件式（１２）の上限値を下回る場合、諸収差の発生を抑制できる。
【００７６】
本実施形態の撮像装置は、光学系と、撮像面を持ち、且つ光学系により撮像面上に形成された像を電気信号に変換する撮像素子と、を有し、光学系が上述の実施形態の変倍光学系であることを特徴とする。
【００７７】
本実施形態の撮像装置によれば、小型な装置でありながら、色収差が良好に補正された画像を取得できる。
【００７８】
上述の構成は相互に複数を同時に満足することがより好ましい。また、一部の構成を同時に満足するようにしてもよい。例えば、上述の変倍光学系の何れかにて、上述の他の変倍光学系の何れかを用いるようにしてもよい。
【００７９】
条件式については、それぞれの条件式を個別に満足させるようにしても良い。このようにすると、それぞれの効果を得やすくなるので好ましい。
【００８０】
各条件式について、以下のように下限値、または上限値を変更しても良い、このようにすることで、各条件式の効果を一層確実にできるので好ましい。
条件式（１）については、以下の通りである。
下限値を−０．０３、又は−０．０１にすることが好ましい。
上限値を０．０３、又は０．０１にすることが好ましい。
条件式（２）については、以下の通りである。
下限値を０．０３０、又は０．０４０にすることが好ましい。
上限値を０．１２、又は０．１１にすることが好ましい。
条件式（３）については、以下の通りである。
下限値を、２．２０又は２．５０にすることが好ましい。
上限値を、９又は８にすることが好ましい。
条件式（４）については、以下の通りである。
下限値を、０．０６０又は０．０６５にすることが好ましい。
上限値を、０．２５０又は０．２００にすることが好ましい。
条件式（５）については、以下の通りである。
下限値を、０．２５０又は０．２７０にすることが好ましい。
上限値を、０．４００又は０．３８０にすることが好ましい。
条件式（６）については、以下の通りである。
下限値を、１２又は１５にすることが好ましい。
上限値を、３５又は３０にすることが好ましい。
条件式（７）については、以下の通りである。
下限値を、１．２０又は１．３０にすることが好ましい。
上限値を、１．７０又は１．６０にすることが好ましい。
条件式（８）については、以下の通りである。
下限値を、３６又は４０にすることが好ましい。
条件式（９）については、以下の通りである。
上限値を、０．５８又は０．５７にすることが好ましい。
条件式（１０）については、以下の通りである。
下限値を、０．４０又は０．５０にすることが好ましい。
上限値を、１．７０又は１．５０にすることが好ましい。
条件式（１１）については、以下の通りである。
下限値を、０．６０又は０．８０にすることが好ましい。
上限値を、２０又は１６にすることが好ましい。
【００８１】
以下に、変倍光学系の実施例を、図面に基づいて詳細に説明する。なお、この実施例によりこの発明が限定されるものではない。
【００８２】
各実施例のレンズ断面図は、広角端におけるレンズ断面図を示している。
【００８３】
各実施例の収差図について説明する。（ａ）は広角端における球面収差（ＳＡ）、（ｂ）は広角端における非点収差（ＡＳ）、（ｃ）は広角端における歪曲収差（ＤＴ）、（ｄ）は広角端における倍率色収差（ＣＣ）を示している。
【００８４】
（ｅ）は中間焦点距離状態における球面収差（ＳＡ）、（ｆ）は中間焦点距離状態における非点収差（ＡＳ）、（ｇ）は中間焦点距離状態における歪曲収差（ＤＴ）、（ｈ）は中間焦点距離状態における倍率色収差（ＣＣ）を示している。
【００８５】
また、（ｉ）は望遠端における球面収差（ＳＡ）、（ｊ）は望遠端における非点収差（ＡＳ）、（ｋ）は望遠端における歪曲収差（ＤＴ）、（ｌ）は望遠端における倍率色収差（ＣＣ）を示している。
【００８６】
レンズ断面図は、無限遠物点合焦時のレンズ断面図である。収差図は、無限遠物点合焦時の収差図である。
【００８７】
第１レンズ群はＧ１、第２レンズ群はＧ２、第３レンズ群はＧ３、第４レンズ群はＧ４、第５レンズ群はＧ５、開口絞りはＳ、像面（撮像面）はＩで示してある。
【００８８】
実施例１の変倍光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞りＳは、第２レンズ群Ｇ２と第３レンズ群Ｇ３との間に配置されている。
【００８９】
第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、物体側に凸面を向けた正メニスカスレンズＬ４と、で構成されている。ここで、負メニスカスレンズＬ１と正メニスカスレンズＬ２とが接合されている。
【００９０】
第２レンズ群Ｇ２は、物体側に凸面を向けた負メニスカスレンズＬ５と、両凹負レンズＬ６と、物体側に凸面を向けた正メニスカスレンズＬ７と、像側に凸面を向けた負メニスカスレンズＬ８と、で構成されている。ここで、両凹負レンズＬ６と正メニスカスレンズＬ７とが接合されている。
【００９１】
第３レンズ群Ｇ３は、両凸正レンズＬ９と、両凹負レンズＬ１０と、両凸正レンズＬ１１と、物体側に凸面を向けた正メニスカスレンズＬ１２と、で構成されている。ここで、両凹負レンズＬ１０と両凸正レンズＬ１１とが接合されている。
【００９２】
第４レンズ群Ｇ４は、像側に凸面を向けた正メニスカスレンズＬ１３と、両凹負レンズＬ１４と、で構成されている。ここで、正メニスカスレンズＬ１３と両凹負レンズＬ１４が接合されている。
【００９３】
第５レンズ群Ｇ５は、両凸正レンズＬ１５で構成されている。
【００９４】
広角端から望遠端への変倍時、第１レンズ群Ｇ１と第５レンズ群Ｇ５は固定されている。第２レンズ群Ｇ２は像側に移動する。第３レンズ群Ｇ３と第４レンズ群Ｇ４は、物体側に移動する。開口絞りＳは、第３レンズ群Ｇ３と共に移動する。
【００９５】
無限遠物点から至近物点への合焦時、第４レンズ群Ｇ４が像側に移動する。
【００９６】
非球面は、両凹負レンズＬ６の物体側面と、両凸正レンズＬ９の両面と、両凸正レンズＬ１１の像側面と、両凹負レンズＬ１４の像側面と、両凸正レンズＬ１５の両面と、の合計７面に設けられている。
【００９７】
実施例２の変倍光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞りＳは、第２レンズ群Ｇ２と第３レンズ群Ｇ３との間に配置されている。
【００９８】
第１レンズ群Ｇ１は、物体側に凸面を向けた負メニスカスレンズＬ１と、物体側に凸面を向けた正メニスカスレンズＬ２と、物体側に凸面を向けた正メニスカスレンズＬ３と、物体側に凸面を向けた正メニスカスレンズＬ４と、で構成されている。ここで、負メニスカスレンズＬ１と正メニスカスレンズＬ２とが接合されている。
【００９９】
第２レンズ群Ｇ２は、物体側に凸面を向けた負メニスカスレンズＬ５と、両凹負レンズＬ６と、物体側に凸面を向けた正メニスカスレンズＬ７と、像側に凸面を向けた負メニスカスレンズＬ８と、で構成されている。ここで、両凹負レンズＬ６と正メニスカスレンズＬ７とが接合されている。
【０１００】
第３レンズ群Ｇ３は、両凸正レンズＬ９と、両凹負レンズＬ１０と、両凸正レンズＬ１１と、物体側に凸面を向けた正メニスカスレンズＬ１２と、で構成されている。ここで、両凹負レンズＬ１０と両凸正レンズＬ１１とが接合されている。
【０１０１】
第４レンズ群Ｇ４は、像側に凸面を向けた正メニスカスレンズＬ１３と、両凹負レンズＬ１４と、で構成されている。ここで、正メニスカスレンズＬ１３と両凹負レンズＬ１４が接合されている。
【０１０２】
第５レンズ群Ｇ５は、両凸正レンズＬ１５で構成されている。
【０１０３】
広角端から望遠端への変倍時、第１レンズ群Ｇ１と第５レンズ群Ｇ５は固定されている。第２レンズ群Ｇ２は像側に移動する。第３レンズ群Ｇ３と第４レンズ群Ｇ４は、物体側に移動する。開口絞りＳは、第３レンズ群Ｇ３と共に移動する。
【０１０４】
無限遠物点から至近物点への合焦時、第４レンズ群Ｇ４が像側に移動する。
【０１０５】
非球面は、両凹負レンズＬ６の物体側面と、両凸正レンズＬ９の両面と、両凸正レンズＬ１１の像側面と、両凹負レンズＬ１４の像側面と、両凸正レンズＬ１５の両面と、の合計７面に設けられている。
【０１０６】
実施例３の変倍光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞りＳは、第２レンズ群Ｇ２と第３レンズ群Ｇ３との間に配置されている。
【０１０７】
第１レンズ群Ｇ１は、物体側に凸面を向けた負メニスカスレンズＬ１と、両凸正レンズＬ２と、物体側に凸面を向けた正メニスカスレンズＬ３と、物体側に凸面を向けた正メニスカスレンズＬ４と、で構成されている。ここで、負メニスカスレンズＬ１と両凸正レンズＬ２とが接合されている。
【０１０８】
第２レンズ群Ｇ２は、両凹負レンズＬ５と、両凹負レンズＬ６と、両凸正レンズＬ７と、で構成されている。ここで、両凹負レンズＬ６と両凸正レンズＬ７とが接合されている。
【０１０９】
第３レンズ群Ｇ３は、両凸正レンズＬ８と、物体側に凸面を向けた負メニスカスレンズＬ９と、物体側に凸面を向けた負メニスカスレンズＬ１０と、両凸正レンズＬ１１と、物体側に凸面を向けた正メニスカスレンズＬ１２と、で構成されている。ここで、負メニスカスレンズＬ１０と両凸正レンズＬ１１とが接合されている。
【０１１０】
第４レンズ群Ｇ４は、像側に凸面を向けた正メニスカスレンズＬ１３と、両凹負レンズＬ１４と、で構成されている。ここで、正メニスカスレンズＬ１３と両凹負レンズＬ１４が接合されている。
【０１１１】
第５レンズ群Ｇ５は、両凸正レンズＬ１５で構成されている。
【０１１２】
広角端から望遠端への変倍時、第１レンズ群Ｇ１と第５レンズ群Ｇ５は固定されている。第２レンズ群Ｇ２は像側に移動する。第３レンズ群Ｇ３は、広角端から中間焦点距離状態までは物体側に移動し、中間焦点距離状態から望遠端までは固定である。第４レンズ群Ｇ４は、物体側に移動する。開口絞りＳは、第３レンズ群Ｇ３と共に移動する。
【０１１３】
無限遠物点から至近物点への合焦時、第４レンズ群Ｇ４が像側に移動する。
【０１１４】
非球面は、両凹負レンズＬ５の両面と、両凸正レンズＬ８の両面と、両凹負レンズＬ１４の像側面と、両凸正レンズＬ１５の両面と、の合計７面に設けられている。
【０１１５】
実施例４の変倍光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞りＳは、第２レンズ群Ｇ２と第３レンズ群Ｇ３との間に配置されている。
【０１１６】
第１レンズ群Ｇ１は、物体側に凸面を向けた負メニスカスレンズＬ１と、両凸正レンズＬ２と、物体側に凸面を向けた正メニスカスレンズＬ３と、物体側に凸面を向けた正メニスカスレンズＬ４と、で構成されている。ここで、負メニスカスレンズＬ１と両凸正レンズＬ２とが接合されている。
【０１１７】
第２レンズ群Ｇ２は、両凹負レンズＬ５と、両凹負レンズＬ６と、両凸正レンズＬ７と、で構成されている。ここで、両凹負レンズＬ６と両凸正レンズＬ７とが接合されている。
【０１１８】
第３レンズ群Ｇ３は、両凸正レンズＬ８と、両凹負レンズＬ９と、物体側に凸面を向けた負メニスカスレンズＬ１０と、両凸正レンズＬ１１と、物体側に凸面を向けた正メニスカスレンズＬ１２と、で構成されている。ここで、負メニスカスレンズＬ１０と両凸正レンズＬ１１とが接合されている。
【０１１９】
第４レンズ群Ｇ４は、像側に凸面を向けた正メニスカスレンズＬ１３と、両凹負レンズＬ１４と、で構成されている。ここで、正メニスカスレンズＬ１３と両凹負レンズＬ１４が接合されている。
【０１２０】
第５レンズ群Ｇ５は、両凸正レンズＬ１５で構成されている。
【０１２１】
広角端から望遠端への変倍時、第１レンズ群Ｇ１と第５レンズ群Ｇ５は固定されている。第２レンズ群Ｇ２は像側に移動する。第３レンズ群Ｇ３と第４レンズ群Ｇ４は、物体側に移動する。開口絞りＳは、第３レンズ群Ｇ３と共に移動する。
【０１２２】
無限遠物点から至近物点への合焦時、第４レンズ群Ｇ４が像側に移動する。
【０１２３】
非球面は、両凹負レンズＬ５の両面と、両凸正レンズＬ８の両面と、両凹負レンズＬ１４の像側面と、両凸正レンズＬ１５の両面と、の合計７面に設けられている。
【０１２４】
実施例５の変倍光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞りＳは、第２レンズ群Ｇ２と第３レンズ群Ｇ３との間に配置されている。
【０１２５】
第１レンズ群Ｇ１は、物体側に凸面を向けた負メニスカスレンズＬ１と、両凸正レンズＬ２と、物体側に凸面を向けた正メニスカスレンズＬ３と、物体側に凸面を向けた正メニスカスレンズＬ４と、で構成されている。ここで、負メニスカスレンズＬ１と両凸正レンズＬ２とが接合されている。
【０１２６】
第２レンズ群Ｇ２は、両凹負レンズＬ５と、両凹負レンズＬ６と、両凸正レンズＬ７と、で構成されている。ここで、両凹負レンズＬ６と両凸正レンズＬ７とが接合されている。
【０１２７】
第３レンズ群Ｇ３は、両凸正レンズＬ８と、両凹負レンズＬ９と、物体側に凸面を向けた負メニスカスレンズＬ１０と、両凸正レンズＬ１１と、物体側に凸面を向けた正メニスカスレンズＬ１２と、で構成されている。ここで、負メニスカスレンズＬ１０と両凸正レンズＬ１１とが接合されている。
【０１２８】
第４レンズ群Ｇ４は、像側に凸面を向けた正メニスカスレンズＬ１３と、両凹負レンズＬ１４と、で構成されている。ここで、正メニスカスレンズＬ１３と両凹負レンズＬ１４が接合されている。
【０１２９】
第５レンズ群Ｇ５は、両凸正レンズＬ１５で構成されている。
【０１３０】
広角端から望遠端への変倍時、第１レンズ群Ｇ１と第５レンズ群Ｇ５は固定されている。第２レンズ群Ｇ２は像側に移動する。第３レンズ群Ｇ３と第４レンズ群Ｇ４は、物体側に移動する。開口絞りＳは、第３レンズ群Ｇ３と共に移動する。
【０１３１】
無限遠物点から至近物点への合焦時、第４レンズ群Ｇ４が像側に移動する。
【０１３２】
非球面は、両凹負レンズＬ５の両面と、両凸正レンズＬ８の両面と、両凹負レンズＬ１４の像側面と、両凸正レンズＬ１５の両面と、の合計７面に設けられている。
【０１３３】
実施例６の変倍光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、負の屈折力を有する第５レンズ群Ｇ５と、で構成されている。開口絞りＳは、第２レンズ群Ｇ２と第３レンズ群Ｇ３との間に配置されている。
【０１３４】
第１レンズ群Ｇ１は、物体側に凸面を向けた負メニスカスレンズＬ１と、両凸正レンズＬ２と、物体側に凸面を向けた正メニスカスレンズＬ３と、物体側に凸面を向けた正メニスカスレンズＬ４と、で構成されている。ここで、負メニスカスレンズＬ１と両凸正レンズＬ２とが接合されている。
【０１３５】
第２レンズ群Ｇ２は、両凹負レンズＬ５と、両凹負レンズＬ６と、両凸正レンズＬ７と、で構成されている。ここで、両凹負レンズＬ６と両凸正レンズＬ７とが接合されている。
【０１３６】
第３レンズ群Ｇ３は、両凸正レンズＬ８と、両凹負レンズＬ９と、物体側に凸面を向けた負メニスカスレンズＬ１０と、両凸正レンズＬ１１と、両凸正レンズＬ１２と、で構成されている。ここで、負メニスカスレンズＬ１０と両凸正レンズＬ１１とが接合されている。
【０１３７】
第４レンズ群Ｇ４は、像側に凸面を向けた正メニスカスレンズＬ１３と、両凹負レンズＬ１４と、で構成されている。ここで、正メニスカスレンズＬ１３と両凹負レンズＬ１４が接合されている。
【０１３８】
第５レンズ群Ｇ５は、物体側に凸面を向けた負メニスカスレンズＬ１５と、両凸正レンズＬ１６と、で構成されている。
【０１３９】
広角端から望遠端への変倍時、第１レンズ群Ｇ１と第５レンズ群Ｇ５は固定されている。第２レンズ群Ｇ２は像側に移動する。第３レンズ群Ｇ３と第４レンズ群Ｇ４は、物体側に移動する。開口絞りＳは、第３レンズ群Ｇ３と共に移動する。
【０１４０】
無限遠物点から至近物点への合焦時、第４レンズ群Ｇ４が像側に移動する。
【０１４１】
非球面は、両凹負レンズＬ５の両面と、両凸正レンズＬ８の両面と、両凹負レンズＬ１４の像側面と、負メニスカスレンズＬ１５の物体側面と、の合計６面に設けられている。
【０１４２】
実施例７の変倍光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、負の屈折力を有する第５レンズ群Ｇ５と、で構成されている。開口絞りＳは、第２レンズ群Ｇ２と第３レンズ群Ｇ３との間に配置されている。
【０１４３】
第１レンズ群Ｇ１は、物体側に凸面を向けた負メニスカスレンズＬ１と、両凸正レンズＬ２と、物体側に凸面を向けた正メニスカスレンズＬ３と、物体側に凸面を向けた正メニスカスレンズＬ４と、で構成されている。ここで、負メニスカスレンズＬ１と両凸正レンズＬ２とが接合されている。
【０１４４】
第２レンズ群Ｇ２は、両凹負レンズＬ５と、両凹負レンズＬ６と、両凸正レンズＬ７と、で構成されている。ここで、両凹負レンズＬ６と両凸正レンズＬ７とが接合されている。
【０１４５】
第３レンズ群Ｇ３は、両凸正レンズＬ８と、両凹負レンズＬ９と、物体側に凸面を向けた負メニスカスレンズＬ１０と、両凸正レンズＬ１１と、両凸正レンズＬ１２と、で構成されている。ここで、負メニスカスレンズＬ１０と両凸正レンズＬ１１とが接合されている。
【０１４６】
第４レンズ群Ｇ４は、像側に凸面を向けた正メニスカスレンズＬ１３と、両凹負レンズＬ１４と、で構成されている。ここで、正メニスカスレンズＬ１３と両凹負レンズＬ１４が接合されている。
【０１４７】
第５レンズ群Ｇ５は、物体側に凸面を向けた負メニスカスレンズＬ１５と、両凸正レンズＬ１６と、で構成されている。ここで、負メニスカスレンズＬ１５と両凸正レンズＬ１６とが接合されている。
【０１４８】
広角端から望遠端への変倍時、第１レンズ群Ｇ１と第５レンズ群Ｇ５は固定されている。第２レンズ群Ｇ２は像側に移動する。第３レンズ群Ｇ３と第４レンズ群Ｇ４は、物体側に移動する。開口絞りＳは、第３レンズ群Ｇ３と共に移動する。
【０１４９】
無限遠物点から至近物点への合焦時、第４レンズ群Ｇ４が像側に移動する。
【０１５０】
非球面は、両凹負レンズＬ５の両面と、両凸正レンズＬ８の両面と、両凹負レンズＬ１４の像側面と、負メニスカスレンズＬ１５の物体側面と、の合計６面に設けられている。
【０１５１】
実施例８の変倍光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞りＳは、第２レンズ群Ｇ２と第３レンズ群Ｇ３との間に配置されている。
【０１５２】
第１レンズ群Ｇ１は、物体側に凸面を向けた負メニスカスレンズＬ１と、両凸正レンズＬ２と、物体側に凸面を向けた正メニスカスレンズＬ３と、物体側に凸面を向けた正メニスカスレンズＬ４と、で構成されている。ここで、負メニスカスレンズＬ１と両凸正レンズＬ２とが接合されている。
【０１５３】
第２レンズ群Ｇ２は、両凹負レンズＬ５と、両凹負レンズＬ６と、両凸正レンズＬ７と、で構成されている。ここで、両凹負レンズＬ６と両凸正レンズＬ７とが接合されている。
【０１５４】
第３レンズ群Ｇ３は、両凸正レンズＬ８と、物体側に凸面を向けた負メニスカスレンズＬ９と、物体側に凸面を向けた負メニスカスレンズＬ１０と、両凸正レンズＬ１１と、物体側に凸面を向けた正メニスカスレンズＬ１２と、で構成されている。ここで、負メニスカスレンズＬ１０と両凸正レンズＬ１１とが接合されている。
【０１５５】
第４レンズ群Ｇ４は、像側に凸面を向けた正メニスカスレンズＬ１３と、両凹負レンズＬ１４と、で構成されている。ここで、正メニスカスレンズＬ１３と両凹負レンズＬ１４が接合されている。
【０１５６】
第５レンズ群Ｇ５は、両凸正レンズＬ１５で構成されている。
【０１５７】
広角端から望遠端への変倍時、第１レンズ群Ｇ１と第５レンズ群Ｇ５は固定されている。第２レンズ群Ｇ２は像側に移動する。第３レンズ群Ｇ３と第４レンズ群Ｇ４は、物体側に移動する。開口絞りＳは、第３レンズ群Ｇ３と共に移動する。
【０１５８】
無限遠物点から至近物点への合焦時、第４レンズ群Ｇ４が像側に移動する。
【０１５９】
非球面は、両凹負レンズＬ５の両面と、両凸正レンズＬ８の両面と、両凹負レンズＬ１４の像側面と、両凸正レンズＬ１５の両面と、の合計７面に設けられている。
【０１６０】
実施例９の変倍光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞りＳは、第２レンズ群Ｇ２と第３レンズ群Ｇ３との間に配置されている。
【０１６１】
第１レンズ群Ｇ１は、物体側に凸面を向けた負メニスカスレンズＬ１と、両凸正レンズＬ２と、物体側に凸面を向けた正メニスカスレンズＬ３と、物体側に凸面を向けた正メニスカスレンズＬ４と、で構成されている。ここで、負メニスカスレンズＬ１と両凸正レンズＬ２とが接合されている。
【０１６２】
第２レンズ群Ｇ２は、両凹負レンズＬ５と、両凹負レンズＬ６と、両凸正レンズＬ７と、で構成されている。ここで、両凹負レンズＬ６と両凸正レンズＬ７とが接合されている。
【０１６３】
第３レンズ群Ｇ３は、両凸正レンズＬ８と、両凹負レンズＬ９と、物体側に凸面を向けた負メニスカスレンズＬ１０と、両凸正レンズＬ１１と、両凸正レンズＬ１２と、で構成されている。ここで、負メニスカスレンズＬ１０と両凸正レンズＬ１１とが接合されている。
【０１６４】
第４レンズ群Ｇ４は、像側に凸面を向けた正メニスカスレンズＬ１３と、両凹負レンズＬ１４と、で構成されている。ここで、正メニスカスレンズＬ１３と両凹負レンズＬ１４が接合されている。
【０１６５】
第５レンズ群Ｇ５は、物体側に凸面を向けた負メニスカスレンズＬ１５と、両凸正レンズＬ１６と、で構成されている。
【０１６６】
広角端から望遠端への変倍時、第１レンズ群Ｇ１と第５レンズ群Ｇ５は固定されている。第２レンズ群Ｇ２は像側に移動する。第３レンズ群Ｇ３と第４レンズ群Ｇ４は、物体側に移動する。開口絞りＳは、第３レンズ群Ｇ３と共に移動する。
【０１６７】
無限遠物点から至近物点への合焦時、第４レンズ群Ｇ４が像側に移動する。
【０１６８】
非球面は、両凹負レンズＬ５の両面と、両凸正レンズＬ８の両面と、両凹負レンズＬ１４の像側面と、負メニスカスレンズＬ１５の物体側面と、の合計６面に設けられている。
【０１６９】
実施例１０の変倍光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、で構成されている。開口絞りＳは、第２レンズ群Ｇ２と第３レンズ群Ｇ３との間に配置されている。
【０１７０】
第１レンズ群Ｇ１は、物体側に凸面を向けた負メニスカスレンズＬ１と、両凸正レンズＬ２と、物体側に凸面を向けた正メニスカスレンズＬ３と、物体側に凸面を向けた正メニスカスレンズＬ４と、で構成されている。ここで、負メニスカスレンズＬ１と両凸正レンズＬ２とが接合されている。
【０１７１】
第２レンズ群Ｇ２は、両凹負レンズＬ５と、両凹負レンズＬ６と、両凸正レンズＬ７と、で構成されている。ここで、両凹負レンズＬ６と両凸正レンズＬ７とが接合されている。
【０１７２】
第３レンズ群Ｇ３は、両凸正レンズＬ８と、両凹負レンズＬ９と、物体側に凸面を向けた負メニスカスレンズＬ１０と、両凸正レンズＬ１１と、両凸正レンズＬ１２と、で構成されている。ここで、負メニスカスレンズＬ１０と両凸正レンズＬ１１とが接合されている。
【０１７３】
第４レンズ群Ｇ４は、像側に凸面を向けた正メニスカスレンズＬ１３と、両凹負レンズＬ１４と、で構成されている。ここで、正メニスカスレンズＬ１３と両凹負レンズＬ１４が接合されている。
【０１７４】
広角端から望遠端への変倍時、第１レンズ群Ｇ１は固定されている。第２レンズ群Ｇ２は像側に移動する。第３レンズ群Ｇ３と第４レンズ群Ｇ４は、物体側に移動する。開口絞りＳは、第３レンズ群Ｇ３と共に移動する。
【０１７５】
無限遠物点から至近物点への合焦時、第４レンズ群Ｇ４が像側に移動する。
【０１７６】
非球面は、両凹負レンズＬ５の両面と、両凸正レンズＬ８の両面と、両凸正レンズＬ１２の像側面と、両凹負レンズＬ１４の像側面と、の合計６面に設けられている。
【０１７７】
実施例１１の変倍光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞りＳは、第２レンズ群Ｇ２と第３レンズ群Ｇ３との間に配置されている。
【０１７８】
第１レンズ群Ｇ１は、物体側に凸面を向けた負メニスカスレンズＬ１と、両凸正レンズＬ２と、物体側に凸面を向けた正メニスカスレンズＬ３と、物体側に凸面を向けた正メニスカスレンズＬ４と、で構成されている。ここで、負メニスカスレンズＬ１と両凸正レンズＬ２とが接合されている。
【０１７９】
第２レンズ群Ｇ２は、両凹負レンズＬ５と、両凹負レンズＬ６と、両凸正レンズＬ７と、で構成されている。ここで、両凹負レンズＬ６と両凸正レンズＬ７とが接合されている。
【０１８０】
第３レンズ群Ｇ３は、両凸正レンズＬ８と、物体側に凸面を向けた負メニスカスレンズＬ９と、物体側に凸面を向けた負メニスカスレンズＬ１０と、両凸正レンズＬ１１と、物体側に凸面を向けた正メニスカスレンズＬ１２と、で構成されている。ここで、負メニスカスレンズＬ１０と両凸正レンズＬ１１とが接合されている。
【０１８１】
第４レンズ群Ｇ４は、像側に凸面を向けた正メニスカスレンズＬ１３と、両凹負レンズＬ１４と、で構成されている。ここで、正メニスカスレンズＬ１３と両凹負レンズＬ１４が接合されている。
【０１８２】
第５レンズ群Ｇ５は、両凸正レンズＬ１５で構成されている。
【０１８３】
広角端から望遠端への変倍時、第１レンズ群Ｇ１は、広角端から中間焦点距離状態までは固定され、中間焦点距離状態から望遠端までは物体側に移動する。第２レンズ群Ｇ２は像側に移動する。第３レンズ群Ｇ３と第４レンズ群Ｇ４は、物体側に移動する。第５レンズ群Ｇ５は固定されている。開口絞りＳは、第３レンズ群Ｇ３と共に移動する。
【０１８４】
無限遠物点から至近物点への合焦時、第４レンズ群Ｇ４が像側に移動する。
【０１８５】
非球面は、両凹負レンズＬ５の両面と、両凸正レンズＬ８の両面と、両凹負レンズＬ１４の像側面と、両凸正レンズＬ１５の両面と、の合計７面に設けられている。
【０１８６】
以下に、上記各実施例の数値データを示す。面データにおいて、ｒは各レンズ面の曲率半径、ｄは各レンズ面間の間隔、ｎｄは各レンズのｄ線の屈折率、νｄは各レンズのアッベ数、＊印は非球面である。
【０１８７】
また、ズームデータにおいて、ｆは全系の焦点距離、ＦＮＯ．はＦナンバー、ωは半画角、ＢＦはバックフォーカス、ＬＴＬは光学系の全長、である。バックフォーカスは、最も像側のレンズ面から近軸像面までの距離を空気換算して表したものである。全長は、最も物体側のレンズ面から最も像側のレンズ面までの距離にバックフォーカスを加えたものである。
【０１８８】
また、非球面形状は、光軸方向をｚ、光軸に直交する方向をｙにとり、円錐係数をｋ、非球面係数をＡ４、Ａ６、Ａ８、Ａ１０、Ａ１２…としたとき、次の式で表される。
ｚ＝（ｙ2／ｒ）／［１＋｛１−（１＋ｋ）（ｙ／ｒ）2｝1/2］
＋Ａ４ｙ4＋Ａ６ｙ6＋Ａ８ｙ8＋Ａ１０ｙ10＋Ａ１２ｙ12＋…
また、非球面係数において、「e−ｎ」（ｎは整数）は、「１０−ｎ」を示している。
なお、これら諸元値の記号は後述の実施例の数値データにおいても共通である。
【０１８９】
数値実施例１
単位  ｍｍ
面データ
面番号       r          d         nd        νd
物面       ∞         ∞
1      57.633      1.40     1.85478    24.80
2      38.572      5.93     1.43875    94.93
3     490.001      0.18
4      36.363      4.14     1.49700    81.54
5     188.906      0.18
6      29.512      2.93     1.49700    81.54
7      68.414      可変
8      88.150      0.50     2.00100    29.13
9       8.614      4.14
10*    -25.698      0.50     1.49710    81.56
11      11.879      2.77     1.94595    17.98
12      94.253      1.18
13     -22.729      0.50     1.80400    46.58
14     -85.330      可変
15(絞り)  ∞        0.00
16*     10.194      4.39     1.74320    49.34
17*   -243.497      2.51
18    -181.491      0.50     1.85025    30.05
19       7.800      5.41     1.49710    81.56
20*    -17.733      3.01
21       9.010      1.70     1.49710    81.56
22      20.096      可変
23     -65.198      1.51     1.80810    22.76
24     -11.327      0.40     1.80625    40.91
25*     11.895      可変
26*     26.662      1.90     1.49710    81.56
27*    -11.036      0.30 
28        ∞        2.12     1.51633    64.14
29        ∞        2.13
撮像面       ∞
非球面データ
第１０面
k=0.000
A4=7.11948e-06,A6=-1.97071e-07,A8=9.24421e-10,
A10=-7.41300e-11
第１６面
k=0.000
A4=-3.85831e-05,A6=1.37977e-08,A8=-3.03550e-09,
A10=9.74886e-12
第１７面
k=0.000
A4=6.30997e-05,A6=1.11002e-07,A8=-4.07565e-09,
A10=3.25070e-11
第２０面
k=0.000
A4=1.45167e-04,A6=2.38984e-06,A8=-4.76218e-08,
A10=2.90285e-09
第２５面
k=0.000
A4=-5.66474e-05,A6=2.31002e-06,A8=6.32569e-09
第２６面
k=0.000
A4=-3.70123e-04,A6=-1.70588e-05,A8=-5.47215e-07
第２７面
k=0.000
A4=2.53570e-04,A6=-2.81699e-05,A8=-1.69955e-07
ズームデータ
ズーム比      22.00
広角端     中間     望遠端
ｆ                 5.30     24.86    116.63
ＦＮＯ．           1.62      3.40      4.51
２ω              70.93     15.87      3.36
ＩＨ               3.60      3.60      3.60
ＢＦ(in air)       3.84      3.84      3.84
ＬＴＬ(in air)    89.29     89.29     89.29
d7           0.60     15.86     26.05
d14         34.78     13.09      2.28
d22          2.01      6.16      2.00
d25          2.40      4.68      9.46
各群焦点距離
f1=42.75   f2=-7.36   f3=14.76   f4=-12.36   f5=15.97
【０１９０】
数値実施例２
単位  ｍｍ
面データ
面番号       r          d         nd        νd
物面       ∞         ∞
1      60.529      1.40     1.85478    24.80
2      39.609      6.04     1.43875    94.93
3     942.077      0.18
4      36.341      4.16     1.49700    81.54
5     190.377      0.18
6      29.305      2.96     1.49700    81.54
7      67.794      可変
8      87.378      0.50     2.00100    29.13
9       8.505      3.99
10*    -31.916      0.50     1.49710    81.56
11      11.042      2.82     1.94595    17.98
12      67.930      1.23
13     -22.222      0.50     1.80400    46.58
14    -121.906      可変
15(絞り)  ∞        0.00
16*     10.216      4.50     1.74320    49.34
17*   -234.105      2.43
18    -265.801      0.50     1.85025    30.05
19       7.800      5.41     1.49710    81.56
20*    -18.000      2.99
21       8.963      1.73     1.49710    81.56
22      19.620      可変
23     -72.803      1.52     1.80810    22.76
24     -11.498      0.40     1.80625    40.91
25*     11.015      可変
26*     26.570      1.97     1.49710    81.56
27*    -10.578      0.30
28        ∞        2.12     1.51633    64.14
29        ∞        2.13
撮像面       ∞
非球面データ
第１０面
k=0.000
A4=7.84635e-06,A6=-3.51089e-07,A8=4.58848e-09,
A10=-9.80301e-11
第１６面
k=0.000
A4=-3.99790e-05,A6=1.41009e-08,A8=-3.21870e-09,
A10=9.91084e-12
第１７面
k=0.000
A4=6.38132e-05,A6=1.17445e-07,A8=-4.30311e-09,
A10=3.54323e-11
第２０面
k=0.000
A4=1.44012e-04,A6=2.41475e-06,A8=-5.36044e-08,
A10=3.02832e-09
第２５面
k=0.000
A4=-5.59992e-05,A6=3.01217e-06,A8=1.95297e-08
第２６面
k=0.000
A4=-3.69824e-04,A6=-2.32267e-05,A8=-4.24190e-07
第２７面
k=0.000
A4=2.38599e-04,A6=-3.23880e-05,A8=-8.14732e-08
ズームデータ
ズーム比      23.00
広角端     中間     望遠端
ｆ                 5.28     25.31    121.50
ＦＮＯ．           1.63      3.40      4.50
２ω              70.82     15.58      3.23
ＩＨ               3.60      3.60      3.60
ＢＦ(in air)       3.84      3.84      3.84
ＬＴＬ(in air)    89.29     89.29     89.29
d7           0.60     16.01     26.18
d14         34.54     12.74      2.28
d22          2.00      6.61      2.00
d25          2.40      4.19      9.09
各群焦点距離
f1=42.56   f2=-7.17   f3=14.65   f4=-11.77   f5=15.49
【０１９１】
数値実施例３
単位  ｍｍ
面データ
面番号       r          d         nd        νd
物面       ∞         ∞
1     101.325      1.80     1.88300    40.76
2      43.803      8.85     1.43875    94.93
3    -406.863      0.18
4      45.668      5.27     1.49700    81.54
5     177.307      0.18
6      52.732      4.61     1.49700    81.54
7     480.427      可変
8*    -98.148      1.00     1.85135    40.10
9*     11.503      6.28
10     -14.871      0.50     1.55032    75.50
11      25.421      3.03     1.92286    20.88
12    -109.248      可変
13(絞り)  ∞        0.00
14*     12.309      5.17     1.74320    49.34
15*   -111.777      0.98
16     542.713      0.50     1.60342    38.03
17      13.805      3.08
18      22.378      0.40     1.85026    32.27
19       8.636      4.75     1.49700    81.54
20     -55.400      5.96
21      14.827      2.16     1.55032    75.50
22      83.083      可変
23     -44.755      1.67     1.80518    25.42
24     -25.242      0.40     1.74320    49.34
25*     17.364      可変
26*     13.164      1.92     1.74320    49.34
27*    -58.476      0.30
28        ∞        2.12     1.51633    64.14
29        ∞        2.13
撮像面       ∞
非球面データ
第８面
k=0.000
A4=5.50918e-05,A6=-4.23935e-08,A8=-7.49161e-10,
A10=1.75420e-12
第９面
k=0.000
A4=3.08495e-05,A6=1.21188e-07,A8=9.03771e-09
第１４面
k=0.000
A4=-3.10937e-05,A6=-1.49209e-07,A8=-2.26123e-10,
A10=-8.11110e-12
第１５面
k=0.000
A4=2.40777e-05,A6=-6.59087e-08,A8=7.85749e-11,
A10=2.81942e-12
第２５面
k=0.000
A4=-1.97924e-05,A6=-2.09989e-06,A8=4.83988e-08
第２６面
k=0.000
A4=4.96161e-05,A6=-2.64216e-06,A8=4.62613e-08
第２７面
k=0.000
A4=1.65710e-04
ズームデータ
ズーム比      40.00
広角端     中間     望遠端
ｆ                 4.85     30.65    193.99
ＦＮＯ．           1.64      3.51      4.86
２ω              75.55     12.81      2.02
ＩＨ               3.60      3.60      3.60
ＢＦ(in air)       3.82      3.82      3.82
ＬＴＬ(in air)   129.28    129.28    129.28 
d7           0.60     25.83     43.43
d12         58.68     19.87      2.28
d22          3.98      9.75      2.62
d25          3.50     11.31     18.44  
各群焦点距離
f1=62.35   f2=-9.84   f3=21.30   f4=-16.90   f5=14.62
【０１９２】
数値実施例４
単位  ｍｍ
面データ
面番号       r          d         nd        νd
物面       ∞         ∞
1     117.187      2.00     1.88300    40.76
2      47.194      9.81     1.43875    94.93
3    -290.648      0.18
4      49.864      5.78     1.49700    81.54
5     214.724      0.18
6      53.848      5.65     1.49700    81.54
7     694.612      可変
8*   -123.115      1.00     1.85135    40.10
9*     12.032      6.58
10     -14.353      0.50     1.55032    75.50
11      26.130      3.09     1.92286    20.88
12    -117.700      可変
13(絞り)  ∞        0.00
14*     13.463      6.45     1.74320    49.34
15*    -53.683      0.85
16     -94.268      0.50     1.62035    34.19
17      16.587      3.38
18      25.839      0.40     1.85026    32.27
19       9.109      5.24     1.49700    81.54
20     -52.634      3.44
21      14.535      2.45     1.55233    50.36
22      85.956      可変
23    -482.631      1.09     1.80518    25.42
24     -54.394      0.40     1.74320    49.34
25*     11.821      可変
26*     21.331      3.36     1.74320    49.34
27*    -26.322      0.30
28        ∞        2.12     1.51633    64.14
29        ∞        2.13
撮像面       ∞
非球面データ
第８面
k=0.000
A4=4.59781e-05,A6=-6.20623e-08,A8=-1.15639e-10,
A10=-5.13778e-13
第９面
k=0.000
A4=2.77282e-05,A6=-1.89302e-08,A8=9.62194e-09
第１４面
k=0.000
A4=-2.22589e-05,A6=-7.98107e-08,A8=-2.14489e-10,
A10=-3.00000e-12
第１５面
k=0.000
A4=3.22935e-05,A6=-9.15485e-08,A8=6.63055e-11,
A10=1.73518e-12
第２５面
k=0.000
A4=-2.85879e-05,A6=-2.25904e-06,A8=8.82363e-08
第２６面
k=0.000
A4=-4.87622e-04,A6=-1.36973e-05,A8=-7.21269e-08
第２７面
k=0.000
A4=-7.08982e-04,A6=-3.03954e-06,A8=1.27290e-08
ズームデータ
ズーム比      38.00
広角端     中間     望遠端
ｆ                 5.79     35.67    220.01
ＦＮＯ．           1.66      3.50      4.86
２ω              74.48     12.83      2.06
ＩＨ               4.20      4.20      4.20
ＢＦ(in air)       3.82      3.82      3.82
ＬＴＬ(in air)   134.28    134.28    134.28
d7           0.60     28.67     44.12
d12         57.50     19.49      2.28
d22          4.55     11.20      2.50
d25          5.47      8.76     19.23
各群焦点距離
f1=63.49   f2=-9.98   f3=20.95   f4=-15.76   f5=16.35
【０１９３】
数値実施例５
単位  ｍｍ
面データ
面番号       r          d         nd        νd
物面       ∞         ∞
1     107.714      2.00     1.88300    40.76
2      45.410      9.71     1.43875    94.93
3    -494.106      0.18
4      48.505      6.25     1.49700    81.54
5     259.815      0.18
6      54.366      5.47     1.49700    81.54
7     499.183      可変
8*   -106.869      1.00     1.85135    40.10
9*     11.595      6.40
10     -16.396      0.70     1.55032    75.50
11      25.334      3.17     1.92286    20.88
12    -115.321      可変
13(絞り)  ∞        0.00
14*     13.321      5.89     1.74320    49.34
15*    -57.484      0.97
16    -715.255      0.70     1.64858    31.26
17      16.304      4.05
18      37.404      0.40     1.85026    32.27
19       9.364      4.88     1.49700    81.54
20     -50.637      2.80
21      15.192      2.48     1.55793    46.68
22     255.364      可変
23     -87.718      0.98     1.80518    25.42
24     -54.050      0.40     1.74320    49.34
25*     13.768      可変
26*     22.814      3.40     1.74320    49.34
27*    -21.477      0.30
28        ∞        2.12     1.51633    64.14
29        ∞        2.13
撮像面       ∞
非球面データ
第８面
k=0.000
A4=3.45208e-05,A6=6.71452e-09,A8=-7.56622e-10,
A10=2.13342e-12
第９面
k=0.000
A4=6.74586e-06,A6=1.01235e-07,A8=3.97278e-09
第１４面
k=0.000
A4=-2.60000e-05,A6=-1.00274e-07,A8=-1.38853e-10,
A10=-3.71310e-12
第１５面
k=0.000
A4=3.37463e-05,A6=-9.15950e-08,A8=2.40631e-10,
A10=8.35367e-13
第２５面
k=0.000
A4=-1.34821e-05,A6=-2.70414e-06,A8=1.03758e-07
第２６面
k=0.000
A4=-2.91132e-04,A6=-1.75541e-05,A8=3.86548e-07,
A10=-1.38546e-08
第２７面
k=0.000
A4=-3.15000e-04,A6=-9.44000e-06,A8=5.38000e-08,
A10=-1.84000e-09
ズームデータ
ズーム比      38.00
広角端     中間     望遠端
ｆ                 5.67     34.94    215.53
ＦＮＯ．           1.63      3.44      4.88
２ω              76.25     13.15      2.12
ＩＨ               4.20      4.20      4.20
ＢＦ(in air)       3.82      3.82      3.82
ＬＴＬ(in air)   134.28    134.28    134.28
d7           0.60     28.47     44.02
d12         58.30     20.07      2.28
d22          5.87     11.98      2.50
d25          3.67      7.93     19.64
各群焦点距離
f1=63.73   f2=-10.47   f3=21.55   f4=-16.03   f5=15.39
【０１９４】
数値実施例６
単位  ｍｍ
面データ
面番号       r          d         nd        νd
物面       ∞         ∞
1      98.210      1.80     1.88300    40.76
2      43.350      9.45     1.43875    94.93
3    -573.227      0.18
4      46.134      5.41     1.49700    81.54
5     151.587      0.18
6      49.264      5.05     1.49700    81.54
7     467.153      可変
8*   -114.661      1.00     1.85135    40.10
9*     11.594      6.47
10     -14.155      0.50     1.55032    75.50
11      32.038      2.74     1.92286    20.88
12    -109.415      可変
13(絞り)  ∞        0.00
14*     12.924      5.28     1.74320    49.34
15*    -86.742      0.87
16    -224.609      0.50     1.60342    38.03
17      14.716      4.82
18      27.042      0.57     1.85026    32.27
19       9.600      4.29     1.49700    81.54
20     -66.027      2.70
21      16.261      2.50     1.55032    75.50
22    -107.422      可変
23     -87.958      1.22     1.98612    16.48
24     -24.853      0.40     1.88300    40.80
25*     40.876      可変
26*     23.032      0.40     1.88202    37.22
27       6.261      0.10
28       6.218      2.61     1.49700    81.61
29     -26.696      0.30
30        ∞        2.12     1.51633    64.14
31        ∞        2.13
撮像面       ∞
非球面データ
第８面
k=0.000
A4=4.29117e-05,A6=3.77372e-07,A8=-4.06303e-09,
A10=1.04361e-11
第９面
k=0.000
A4=1.12275e-05,A6=6.44411e-07,A8=9.65513e-09
第１４面
k=0.000
A4=-2.81724e-05,A6=-1.00042e-07,A8=-1.71389e-10,
A10=-6.27995e-12
第１５面
k=0.000
A4=2.47797e-05,A6=-4.66770e-08,A8=-1.89181e-10,
A10=2.00206e-12
第２５面
k=0.000
A4=-4.17441e-06,A6=8.41651e-08,A8=-1.05493e-08
第２６面
k=0.000
A4=-1.03921e-04,A6=-3.28179e-06,A8=-2.38147e-08
ズームデータ
ズーム比      40.00
広角端     中間     望遠端
ｆ                 4.93     31.16    197.22
ＦＮＯ．           1.76      3.60      5.18
２ω              73.88     12.71      2.01
ＩＨ               3.60      3.60      3.60
ＢＦ(in air)       3.82      3.82      3.82
ＬＴＬ(in air)   131.28    131.28    131.28
d7           0.60     27.01     43.04
d12         59.72     21.43      2.28
d22          6.58      7.45      2.50
d25          1.50     12.51     20.58
各群焦点距離
f1=62.76   f2=-9.30   f3=20.65   f4=-34.70   f5=-500.95
【０１９５】
数値実施例７
単位  ｍｍ
面データ
面番号       r          d         nd        νd
物面       ∞         ∞
1     102.143      1.80     1.88300    40.76
2      44.111      9.51     1.43875    94.93
3    -467.797      0.18
4      46.391      5.41     1.49700    81.54
5     151.190      0.18
6      48.418      5.11     1.49700    81.54
7     417.637      可変
8*   -111.855      1.00     1.85135    40.10
9*     11.734      6.58
10     -14.080      0.50     1.55032    75.50
11      32.262      2.79     1.92286    20.88
12    -113.767      可変
13(絞り)  ∞        0.00
14*     12.900      5.29     1.74320    49.34
15*    -86.572      0.87
16    -183.280      0.50     1.60342    38.03
17      14.741      4.66
18      24.200      0.71     1.85026    32.27
19       9.284      4.06     1.49700    81.54
20     -81.329      3.31
21      16.066      2.38     1.55032    75.50
22    -122.544      可変
23     -76.924      1.20     1.98612    16.48
24     -23.240      0.40     1.88300    40.80
25*     43.268      可変
26*     19.943      0.40     1.88202    37.22
27       6.121      2.54     1.43875    94.66
28     -17.868      0.30
29        ∞        2.12     1.51633    64.14
30        ∞        2.13
撮像面       ∞
非球面データ
第８面
k=0.000
A4=4.23956e-05,A6=3.84304e-07,A8=-4.23222e-09,
A10=1.13823e-11
第９面
k=0.000
A4=1.05403e-05,A6=7.59170e-07,A8=7.67389e-09
第１４面
k=0.000
A4=-2.79453e-05,A6=-9.43714e-08,A8=-2.23776e-10,
A10=-7.14702e-12
第１５面
k=0.000
A4=2.34175e-05,A6=-3.41245e-08,A8=-4.08755e-10,
A10=2.43584e-12
第２５面
k=0.000
A4=-3.48993e-06,A6=1.21990e-07,A8=-2.00781e-08
第２６面
k=0.000
A4=-1.36064e-04,A6=-2.42234e-06,A8=5.21722e-09
ズームデータ
ズーム比      40.00
広角端     中間     望遠端
ｆ                 4.91     31.05    196.55
ＦＮＯ．           1.75      3.58      5.18
２ω              73.81     12.62      1.99
ＩＨ               3.60      3.60      3.60
ＢＦ(in air)       3.82      3.82      3.82
ＬＴＬ(in air)   131.28    131.28    131.28
d7           0.60     27.02     42.98
d12         59.65     21.41      2.28
d22          6.43      7.34      2.50
d25          1.41     12.31     20.33
各群焦点距離
f1=62.70   f2=-9.27   f3=20.70   f4=-34.54   f5=-500.18
【０１９６】
数値実施例８
単位  ｍｍ
面データ
面番号       r          d         nd        νd
物面       ∞         ∞
1     105.173      1.80     1.88300    40.76
2      44.394      8.51     1.43875    94.93
3    -891.218      0.18
4      49.058      5.44     1.49700    81.54
5     264.884      0.18
6      49.219      4.91     1.49700    81.54
7     456.972      可変
8*   -123.817      1.00     1.85135    40.10
9*     11.444      6.34
10     -14.434      0.50     1.55032    75.50
11      26.046      3.12     1.92286    20.88
12    -103.589      可変
13(絞り)  ∞        0.00
14*     12.328      5.16     1.74320    49.34
15*    -97.146      0.95
16    3208.564      0.50     1.60342    38.03
17      13.625      3.14
18      21.547      0.48     1.85026    32.27
19       8.612      6.41     1.49700    81.54
20     -65.777      6.20
21      15.165      2.23     1.55032    75.50
22     107.186      可変
23     -44.869      1.77     1.80518    25.42
24     -27.967      0.40     1.74320    49.34
25*     17.785      可変
26*     13.394      1.84     1.74320    49.34
27*    -58.321      0.30
28        ∞        2.12     1.51633    64.14
29        ∞        2.13
撮像面       ∞
非球面データ
第８面
k=0.000
A4=6.27679e-05,A6=-4.61276e-08,A8=-9.66567e-10,
A10=2.48700e-12
第９面
k=0.000
A4=4.24556e-05,A6=1.69848e-07,A8=9.76631e-09
第１４面
k=0.000
A4=-3.15220e-05,A6=-1.43109e-07,A8=-3.68318e-10,
A10=-6.75502e-12
第１５面
k=0.000
A4=2.36012e-05,A6=-5.52824e-08,A8=-1.22254e-11,
A10=3.44260e-12
第２５面
k=0.000
A4=-2.45195e-05,A6=-2.37408e-06,A8=5.73836e-08
第２６面
k=0.000
A4=-1.10234e-04,A6=-5.62527e-06,A8=3.31973e-08
第２７面
k=0.000
A4=-9.31816e-05
ズームデータ
ズーム比      40.00
広角端     中間     望遠端
ｆ                 4.85     30.65    193.99
ＦＮＯ．           1.64      3.47      4.94
２ω              74.16     12.83      2.02
ＩＨ               3.60      3.60      3.60
ＢＦ(in air)       3.82      3.82      3.82
ＬＴＬ(in air)   131.15    131.15    131.15
d7           0.60     26.07     43.29
d12         58.98     19.85      2.28
d22          3.84      9.77      2.69
d25          2.84     10.56     18.00
各群焦点距離
f1=62.26   f2=-9.85   f3=22.19   f4=-17.13   f5=14.82
【０１９７】
数値実施例９
単位  ｍｍ
面データ
面番号       r          d         nd        νd
物面       ∞         ∞
1     104.214      1.80     1.88300    40.76
2      44.547      9.25     1.43875    94.93
3    -414.636      0.18
4      47.030      5.25     1.49700    81.54
5     156.823      0.18
6      48.547      4.99     1.49700    81.54
7     445.294      可変
8*   -118.170      1.00     1.85135    40.10
9*     11.636      6.47
10     -14.116      0.50     1.55032    75.50
11      30.605      2.80     1.92286    20.88
12    -110.143      可変
13(絞り)  ∞        0.00
14*     12.896      5.39     1.74320    49.34
15*    -95.438      0.92
16    -212.717      0.50     1.60342    38.03
17      14.985      4.45
18      23.626      0.68     1.85026    32.27
19       9.076      4.47     1.49700    81.54
20     -71.643      3.90
21      15.457      2.46     1.55032    75.50
22    -351.385      可変
23     -72.450      1.23     1.98612    16.48
24     -23.143      0.40     1.88300    40.80
25*     35.067      可変
26*     26.203      0.40     1.88202    37.22
27       7.369      0.10
28       7.215      2.87     1.49700    81.61
29     -12.987      0.30
30        ∞        2.12     1.51633    64.14
31        ∞        2.13
撮像面       ∞
非球面データ
第８面
k=0.000
A4=4.06093e-05,A6=3.48661e-07,A8=-3.62581e-09,
A10=9.09073e-12
第９面
k=0.000
A4=1.15134e-05,A6=5.30641e-07,A8=9.41933e-09
第１４面
k=0.000
A4=-2.75103e-05,A6=-1.04390e-07,A8=-1.83841e-10,
A10=-6.02716e-12
第１５面
k=0.000
A4=2.12500e-05,A6=-4.28396e-08,A8=-1.33012e-10,
A10=1.99328e-12
第２５面
k=0.000
A4=-4.91879e-06,A6=-1.73227e-07,A8=-5.68436e-09
第２６面
k=0.000
A4=-2.19697e-04,A6=-9.25732e-07,A8=-2.43858e-08
ズームデータ
ズーム比      40.00
広角端     中間     望遠端
ｆ                 4.85     30.68    194.17
ＦＮＯ．           1.71      3.61      5.02
２ω              74.31     12.82      2.03
ＩＨ               3.60      3.60      3.60
ＢＦ(in air)       3.82      3.82      3.82
ＬＴＬ(in air)   131.28    131.28    131.28
d7           0.60     26.05     43.08
d12         59.33     20.63      2.28
d22          5.54      7.72      2.51
d25          1.80     12.87     19.39
各群焦点距離
f1=62.43   f2=-9.40   f3=21.08   f4=-28.94   f5=42.90
【０１９８】
数値実施例１０
単位  ｍｍ
面データ
面番号       r          d         nd        νd
物面       ∞         ∞
1      98.580      1.80     1.88300    40.76
2      43.657      8.82     1.43875    94.93
3   -1513.058      0.18
4      55.615      4.30     1.49700    81.54
5     162.451      0.18
6      39.783      6.25     1.49700    81.54
7     347.137      可変
8*   -208.836      1.00     1.85135    40.10
9*     10.739      6.74
10     -14.585      0.50     1.55032    75.50
11      28.504      3.00     1.92286    20.88
12    -101.724      可変
13(絞り)  ∞        0.00
14*     13.116      6.82     1.74320    49.34
15*    -75.210      0.77
16    -155.372      0.50     1.60342    38.03
17      16.058      3.22
18      24.604      0.40     1.85026    32.27
19       8.771      6.15     1.49700    81.54
20     -87.779      4.78
21      18.216      2.86     1.55032    75.50
22*    -75.122      可変
23     -45.171      1.06     1.98612    16.48
24     -27.342      0.40     1.88300    40.80
25*     57.494      可変
26        ∞        2.12     1.51633    64.14
27        ∞        2.13
撮像面       ∞
非球面データ
第８面
k=0.000
A4=6.37420e-05,A6=-4.91662e-08,A8=-1.90651e-09,
A10=6.80358e-12
第９面
k=0.000
A4=3.12247e-05,A6=7.10193e-07,A8=1.52586e-09
第１４面
k=0.000
A4=-2.60762e-05,A6=-6.66582e-08,A8=-2.54822e-10,
A10=-3.43689e-12
第１５面
k=0.000
A4=2.82972e-05,A6=-6.66924e-09,A8=-4.61191e-10,
A10=3.38898e-12
第２２面
k=0.000
A4=-3.54888e-06,A6=-2.24783e-07,A8=5.93566e-09
第２５面
k=0.000
A4=-2.29067e-05,A6=2.13802e-06,A8=-1.02251e-07
ズームデータ
ズーム比      40.00
広角端     中間     望遠端
ｆ                 5.10     32.23    204.00
ＦＮＯ．           1.77      3.70      5.34
２ω              74.31     12.81      2.02
ＩＨ               3.60      3.60      3.60
ＢＦ(in air)       5.24     15.67     23.81
ＬＴＬ(in air)   131.28    131.28    131.28
d7           0.60     26.47     42.97
d12         58.86     20.40      2.28
d22          6.86      9.01      2.50
d25          1.71     12.15     20.28
各群焦点距離
f1=62.59   f2=-9.51   f3=22.34   f4=-29.75
【０１９９】
数値実施例１１
単位  ｍｍ
面データ
面番号       r          d         nd        νd
物面       ∞         ∞
1     101.325      1.80     1.88300    40.76
2      43.803      8.85     1.43875    94.93
3    -406.863      0.18
4      45.668      5.27     1.49700    81.54
5     177.307      0.18
6      52.732      4.61     1.49700    81.54
7     480.427      可変
8*    -98.148      1.00     1.85135    40.10
9*     11.503      6.28
10     -14.871      0.50     1.55032    75.50
11      25.421      3.03     1.92286    20.88
12    -109.248      可変
13(絞り)  ∞        0.00
14*     12.309      5.17     1.74320    49.34
15*   -111.777      0.98
16     542.713      0.50     1.60342    38.03
17      13.805      3.08
18      22.378      0.40     1.85026    32.27
19       8.636      4.75     1.49700    81.54
20     -55.400      5.96
21      14.827      2.16     1.55032    75.50
22      83.083      可変
23     -44.755      1.67     1.80518    25.42
24     -25.242      0.40     1.74320    49.34
25*     17.364      可変
26*     13.164      1.92     1.74320    49.34
27*    -58.476      0.30 
28        ∞        2.12     1.51633    64.14
29        ∞        2.13
撮像面       ∞
非球面データ
第８面
k=0.000
A4=5.50918e-05,A6=-4.23935e-08,A8=-7.49161e-10,
A10=1.75420e-12
第９面
k=0.000
A4=3.08495e-05,A6=1.21188e-07,A8=9.03771e-09
第１４面
k=0.000
A4=-3.10937e-05,A6=-1.49209e-07,A8=-2.26123e-10,
A10=-8.11110e-12
第１５面
k=0.000
A4=2.40777e-05,A6=-6.59087e-08,A8=7.85749e-11,
A10=2.81942e-12
第２５面
k=0.000
A4=-1.97924e-05,A6=-2.09989e-06,A8=4.83988e-08
第２６面
k=0.000
A4=4.96161e-05,A6=-2.64216e-06,A8=4.62613e-08
第２７面
k=0.000
A4=1.65710e-04
ズームデータ
ズーム比      41.30
広角端     中間     望遠端
ｆ                 4.85     30.65    200.31
ＦＮＯ．           1.64      3.51      4.96
２ω              75.55     12.81      1.95
ＩＨ               3.60      3.60      3.60
ＢＦ(in air)       3.82      3.82      3.83
ＬＴＬ(in air)   129.28    129.28    129.49
d7           0.60     25.83     43.63
d12         58.68     19.87      2.28
d22          3.98      9.75      1.83
d25          3.50     11.31     19.23
各群焦点距離
f1=62.35   f2=-9.84   f3=21.30   f4=-16.90   f5=14.62
【０２００】
次に、各実施例における条件式の値を以下に掲げる。-（ハイフン）は該当する構成がないことを示す。
条件式           実施例１   実施例２   実施例３   実施例４
(1)Δ1G/Δ2G      0.000      0.000      0.000      0.000
(2)d4Gw/dw        0.098      0.099      0.077      0.099
(3)|f4G/fw|       2.332      2.227      3.485      2.721
(4)|f4G/ft|       0.106      0.097      0.087      0.072
(5)f1G/ft         0.367      0.350      0.321      0.289
(6)β2Gt/β2Gw   12.51      13.49      19.69      23.47
(7)β4Gt/β4Gw    1.326      1.317      1.534      1.471
(8)νd1Gn        24.8       24.8       40.76      40.76
(9)θg,F1Gn       0.612      0.612      0.567      0.567
(10)|f3G/f4G|     1.194      1.245      1.260      1.330
(11)|f5G/f4G|     1.292      1.317      0.865      1.037
(12)ft/fw        22.00      23.00      40.00      38.00
条件式           実施例５   実施例６   実施例７   実施例８
(1)Δ1G/Δ2G      0.000      0.000      0.000      0.000
(2)d4Gw/dw        0.086      0.069      0.0673     0.070
(3)|f4G/fw|       2.826      7.038      7.030      3.533
(4)|f4G/ft|       0.074      0.176      0.176      0.088
(5)f1G/ft         0.296      0.318      0.319      0.321
(6)β2Gt/β2Gw   24.16      15.44      15.32      18.82
(7)β4Gt/β4Gw    1.573      1.454      1.454      1.553
(8)νd1Gn        40.76      40.76      40.76      40.76
(9)θg,F1Gn       0.567      0.567      0.567      0.567
(10)|f3G/f4G|     1.344      0.595      0.599      1.295
(11)|f5G/f4G|     0.960     14.435     14.480      0.865
(12)ft/fw        38.00      40.00      40.00      40.00
条件式           実施例９   実施例１０   実施例１１
(1)Δ1G/Δ2G      0.000      0.000       -0.005
(2)d4Gw/dw        0.074      0.045        0.077
(3)|f4G/fw|       5.961      5.834        3.485
(4)|f4G/ft|       0.149      0.146        0.084
(5)f1G/ft         0.322      0.307        0.311
(6)β2Gt/β2Gw   16.47      16.58        21.57
(7)β4Gt/β4Gw    1.474      1.524        1.564
(8)νd1Gn        40.76      40.76        40.76
(9)θg,F1Gn       0.567      0.567        0.567
(10)|f3G/f4G|     0.729      0.751        1.260
(11)|f5G/f4G|     1.482       -           0.865
(12)ft/fw        40.00      40.00        41.30
【０２０１】
図２３は、撮像装置としての一眼ミラーレスカメラの断面図である。図２３において、一眼ミラーレスカメラ１の鏡筒内には撮影光学系２が配置される。マウント部３は、撮影光学系２を一眼ミラーレスカメラ１のボディに着脱可能とする。マウント部３としては、スクリュータイプのマウントやバヨネットタイプのマウント等が用いられる。この例では、バヨネットタイプのマウントを用いている。また、一眼ミラーレスカメラ１のボディには、撮像素子面４、バックモニタ５が配置されている。なお、撮像素子としては、小型のＣＣＤ又はＣＭＯＳ等が用いられている。
【０２０２】
そして、一眼ミラーレスカメラ１の撮影光学系２として、例えば上記実施例に示した変倍光学系が用いられる。
【０２０３】
図２４、図２５は、撮像装置の構成の概念図を示す。図２４は撮像装置としてのデジタルカメラ４０の前方斜視図、図２５は同後方斜視図である。このデジタルカメラ４０の撮影光学系４１に、本実施例の変倍光学系が用いられている。
【０２０４】
この実施形態のデジタルカメラ４０は、撮影用光路４２上に位置する撮影光学系４１、シャッターボタン４５、液晶表示モニター４７等を含み、デジタルカメラ４０の上部に配置されたシャッターボタン４５を押圧すると、それに連動して撮影光学系４１、例えば実施例１の変倍光学系を通して撮影が行われる。撮影光学系４１によって形成された物体像が、結像面近傍に設けられた撮像素子（光電変換面）上に形成される。この撮像素子で受光された物体像は、処理手段によって電子画像としてカメラ背面に設けられた液晶表示モニター４７に表示される。また、撮影された電子画像は記憶手段に記録することができる。
【０２０５】
図２６は、デジタルカメラ４０の主要部の内部回路を示すブロック図である。なお、以下の説明では、前述した処理手段は、例えばＣＤＳ／ＡＤＣ部２４、一時記憶メモリ１７、画像処理部１８等で構成され、記憶手段は、記憶媒体部１９等で構成される。
【０２０６】
図２６に示すように、デジタルカメラ４０は、操作部１２と、この操作部１２に接続された制御部１３と、この制御部１３の制御信号出力ポートにバス１４及び１５を介して接続された撮像駆動回路１６並びに一時記憶メモリ１７、画像処理部１８、記憶媒体部１９、表示部２０、及び設定情報記憶メモリ部２１を備えている。
【０２０７】
上記の一時記憶メモリ１７、画像処理部１８、記憶媒体部１９、表示部２０、及び設定情報記憶メモリ部２１は、バス２２を介して相互にデータの入力、出力が可能とされている。また、撮像駆動回路１６には、ＣＣＤ４９とＣＤＳ／ＡＤＣ部２４が接続されている。
【０２０８】
操作部１２は、各種の入力ボタンやスイッチを備え、これらを介して外部（カメラ使用者）から入力されるイベント情報を制御部１３に通知する。制御部１３は、例えばＣＰＵなどからなる中央演算処理装置であって、不図示のプログラムメモリを内蔵し、プログラムメモリに格納されているプログラムにしたがって、デジタルカメラ４０全体を制御する。
【０２０９】
ＣＣＤ４９は、撮像駆動回路１６により駆動制御され、撮影光学系４１を介して形成された物体像の画素ごとの光量を電気信号に変換し、ＣＤＳ／ＡＤＣ部２４に出力する撮像素子である。
【０２１０】
ＣＤＳ／ＡＤＣ部２４は、ＣＣＤ４９から入力する電気信号を増幅し、かつ、アナログ／デジタル変換を行って、この増幅とデジタル変換を行っただけの映像生データ（ベイヤーデータ、以下ＲＡＷデータという。）を一時記憶メモリ１７に出力する回路である。
【０２１１】
一時記憶メモリ１７は、例えばＳＤＲＡＭ等からなるバッファであり、ＣＤＳ／ＡＤＣ部２４から出力されるＲＡＷデータを一時的に記憶するメモリ装置である。画像処理部１８は、一時記憶メモリ１７に記憶されたＲＡＷデータ又は記憶媒体部１９に記憶されているＲＡＷデータを読み出して、制御部１３にて指定された画質パラメータに基づいて歪曲収差補正を含む各種画像処理を電気的に行う回路である。
【０２１２】
記憶媒体部１９は、例えばフラッシュメモリ等からなるカード型又はスティック型の記録媒体を着脱自在に装着して、これらのフラッシュメモリに、一時記憶メモリ１７から転送されるＲＡＷデータや画像処理部１８で画像処理された画像データを記録して保持する。
【０２１３】
表示部２０は、液晶表示モニター４７などにて構成され、撮影したＲＡＷデータ、画像データや操作メニューなどを表示する。設定情報記憶メモリ部２１には、予め各種の画質パラメータが格納されているＲＯＭ部と、操作部１２の入力操作によってＲＯＭ部から読み出された画質パラメータを記憶するＲＡＭ部が備えられている。
【０２１４】
本実施形態の変倍光学系は、監視カメラや内視鏡に使用できる。撮像装置は、上述の一眼ミラーレスカメラに限られない。監視カメラや内視鏡も本実施形態の撮像装置に含まれる。
【０２１５】
なお、本発明は、その趣旨を逸脱しない範囲で様々な変形例をとることができる。また、上記各実施例により示された形状枚数には必ずしも限定されない。また、上記各実施例において、カバーガラスは必ずしも配置しなくても良い。また、各レンズ群内又は各レンズ群外に、上記各実施例に図示されていないレンズであって実質的に屈折力を有さないレンズを配置してもよい。
【産業上の利用可能性】
【０２１６】
以上のように、本発明は、光学系の全長が短く小型でありながら、色収差が良好に補正された変倍光学系及びそれを備えた撮像装置に適している。
【符号の説明】
【０２１７】
Ｇ１  第１レンズ群
Ｇ２  第２レンズ群
Ｇ３  第３レンズ群
Ｇ４  第４レンズ群
Ｇ５  第５レンズ群
Ｓ  開口絞り
Ｉ  撮像面
１  一眼ミラーレスカメラ
２  撮影光学系
３  マウント部
４  撮像素子面
５  バックモニタ
１２  操作部
１３  制御部
１４、１５  バス
１６  撮像駆動回路
１７  一時記憶メモリ
１８  画像処理部
１９  記憶媒体部
２０  表示部
２１  設定情報記憶メモリ部
２２  バス
２４  ＣＤＳ／ＡＤＣ部
４０  デジタルカメラ
４１  撮影光学系
４２  撮影用光路
４５  シャッターボタン
４７  液晶表示モニター
４９  ＣＣＤ
【図１】
2019132888.tif 000003
【図２】
2019132888.tif 000004
【図３】
2019132888.tif 000005
【図４】
2019132888.tif 000006
【図５】
2019132888.tif 000007
【図６】
2019132888.tif 000008
【図７】
2019132888.tif 000009
【図８】
2019132888.tif 000010
【図９】
2019132888.tif 000011
【図１０】
2019132888.tif 000012
【図１１】
2019132888.tif 000013
【図１２】
2019132888.tif 000014
【図１３】
2019132888.tif 000015
【図１４】
2019132888.tif 000016
【図１５】
2019132888.tif 000017
【図１６】
2019132888.tif 000018
【図１７】
2019132888.tif 000019
【図１８】
2019132888.tif 000020
【図１９】
2019132888.tif 000021
【図２０】
2019132888.tif 000022
【図２１】
2019132888.tif 000023
【図２２】
2019132888.tif 000024
【図２３】
2019132888.tif 000025
【図２４】
2019132888.tif 000026
【図２５】
2019132888.tif 000027
【図２６】
2019132888.tif 000028